(57)【要約】【課題】送信機と受信機の周囲環境が異なるような場合でも受信機の受信感度の向上を図ることができる送受信システム、送信機、及び受信機を提供することを目的とする。【解決手段】送信機１は、温度センサ２と、温度検出部３と、暗号化キーレス情報送出部４と、スイッチ５と、搬送周波数信号送信部６と、送信アンテナ７と、により構成される。温度検出部３は、温度センサ２を用いて送信機１の周囲温度を検出する。暗号化キーレス情報送出部４は、温度検出部３が検出した温度情報とキーレス制御情報とを含む暗号化キーレス情報信号を生成して送出する。スイッチ５は、車両のドアーを施錠・開錠するためのスイッチである。搬送周波数信号送信部６は、ベースバンド信号である暗号化キーレス情報信号を入力し、例えば、ＦＳＫ変調された搬送周波数信号に変換する。送信アンテナ７は、搬送周波数信号を空中に放射する。【選択図】図１
2008227789.tif 000002
【特許請求の範囲】
【請求項１】
周囲温度を検出して温度情報を出力する温度検出部と、所定操作が行われたときに前記温度検出部により検出した前記温度情報を含む所定情報を送出する情報送出部と、前記情報送出部から出力される所定情報を所定の変調方式で変調を施して送信する送信部と、を備える送信機と、
局部発振器を備え、受信した受信信号を中間周波数信号に変換する中間周波数変換部と、前記中間周波数信号より復調に必要な成分を広帯域で抽出する広帯域濾波器と、前記広帯域濾波器を通過した前記中間周波数信号を復調する第１の復調部と、前記第１の復調部において復調した情報から前記温度情報を取得する温度情報取得部と、前記温度情報取得部において取得した前記温度情報に基づいて前記局部発振器の出力周波数の制御電圧を生成する周波数制御電圧生成部と、前記中間周波数信号より復調に必要な成分を前記広帯域濾波器より狭帯域な帯域で抽出する狭帯域濾波器と、前記狭帯域濾波器を通過した中間周波数信号を復調する第２の復調部と、を備える受信機と、
を有することを特徴とする送受信システム。
【請求項２】
前記受信機に周囲温度を検出して温度情報を出力する第２の温度検出部を備え、前記周波数制御電圧生成部は、前記送信機からの前記温度情報と前記第２の温度検出部で検出される前記温度情報とに基づいて前記局部発振器の出力周波数の制御電圧を生成することを特徴とする請求項１に記載の送受信システム。
【請求項３】
前記送信機に、前記温度検出部により検出した前記温度情報に基づいて前記局部発振器の出力周波数の制御電圧情報を生成する周波数制御電圧信号生成部を備え、
前記受信機は、前記送信機から送信されてくる周波数制御電圧情報に基づいて前記局部発振器の出力周波数を制御することを特徴とする請求項１に記載の送受信システム。
【請求項４】
前記局部発振器は、電圧制御圧電発振器により構成したことを特徴とする請求項１乃至請求項３の何れか１項に記載の送受信システム。
【請求項５】
周囲温度を検出して温度情報を出力する温度検出部と、
所定操作が行われたときに前記温度検出部により検出した前記温度情報を含む所定の情報を送出する情報送出部と、
前記情報送出部から出力される所定の情報を所定の変調方式で変調を施して送信する送信部と、
を備えることを特徴とする送信機。
【請求項６】
局部発振器を備え、受信した受信信号を中間周波数信号に変換する中間周波数変換部と、
前記中間周波数信号より復調に必要な成分を広帯域で抽出する広帯域濾波器と、
前記広帯域濾波器を通過した中間周波数信号を復調する第１の復調部と、
前記第１の復調部において復調した情報から温度情報を取得する温度情報取得部と、
前記温度情報取得部により取得した前記温度情報に基づいて前記局部発振器の出力周波数の制御電圧を生成する周波数制御電圧生成部と、
前記中間周波数信号より復調に必要な成分を前記広帯域濾波器より狭帯域な帯域で抽出する狭帯域濾波器と、
前記狭帯域濾波器を通過した中間周波数信号を復調する第２の復調部と、
を備えることを特徴とする受信機。
【請求項７】
請求項１乃至請求項４の何れか１項に記載の送受信システムを備えたことを特徴とするキーレスエントリシステム。
【発明の詳細な説明】
【技術分野】
【０００１】
本発明は送受信システム、送信装置及び受信装置に関わり、特に車両のドアーの施錠・開錠などに用いられるキーレスエントリシステムに好適なものである。
【背景技術】
【０００２】
近年、車両のドアーの施錠・開錠を、キーをキーシリンダーに差し込まなくても、ボタン一つで行うことができる所謂キーレスエントリシステムが普及している。
キーレスエントリシステムには、例えば微弱電波を用いた送受信システムが利用されている。このようなキーレスエントリシステムでは、車両用のキーに設けられたスイッチを押下すると、送信機より暗号化がなされたキーレス情報信号が送出される。そして、車両本体に設けられた受信機において暗号化されたキーレス情報信号を受信すると、解読して所定のキーレス情報であれば、車両のドアーを施錠・開錠するようにしている。
【０００３】
図７は、従来のキーレスエントリシステムの構成例を示した図である。
この図７に示す従来のキーレスエントリシステムは、車両用のキーに設けられた送信機１０１と、車両本体に設けられた受信機１０２とにより構成される。
送信機１０１は、暗号化キーレス情報送出部１０３、スイッチ１０４、搬送周波数信号送信部１０５、及び送信アンテナ１０６を備えている。
一方、受信機１０２は、受信アンテナ１０７、搬送周波数信号受信部１０８、暗号化キーレス情報解読部１０９、制御信号送出部１１０を備えている。
このように構成される従来のキーレスエントリシステムでは、運転者が例えば車両のドアーの開閉を行う際にキーに備えたスイッチ１０４を押下すると、暗号化されたキーレス情報信号が暗号化キーレス情報送出部１０３より送出される。暗号化されたキーレス情報信号は、搬送周波数信号送信部１０５において変調が施された後、送信アンテナ１０６を介して空間に放射される。
【０００４】
一方、車両本体に設けられた受信機１０２においては、受信アンテナ１０７を介して搬送周波数信号を受信し、搬送周波数信号受信部１０８において、入力した搬送周波数信号をミキシングすることにより中間周波数信号に変換した後、復調される。復調された信号は、暗号化キーレス情報解読部１０９においてキーレス情報信号を解読し、解読したキーレス情報を予め決められている車両に固有のキーレス情報と照合し、一致する場合は、制御信号送出部１１０より制御信号を送出してドアーの施錠或いは開錠を行う。
【０００５】
次に、搬送周波数信号受信部１０８の詳細な構成を示して、その問題点について説明する。
図８は、従来の受信機に備えた搬送周波数信号受信部の構成を示したブロック図である。
この図８に示す搬送周波数信号受信部１０８は、受信帯域濾波器１１１、受信増幅器１１２、局部発振器１１３、ミキサー部１１４、中間周波数帯域濾波器１１５、及びＦＳＫ復調部１１６により構成される。
このような搬送周波数信号受信部１０８では、受信アンテナ１０７を介してＦＳＫ変調された搬送周波数信号を受信帯域濾波器１１１に入力して不要な雑音成分を除去する。不要な雑音成分が除去された搬送周波数信号は、受信増幅器１１２に入力されて、所望のレベルに増幅される。増幅された搬送周波数信号は、局部発振器１１３が出力する周波数信号とミキサー部１１４においてミキシングされて中間周波数信号に変換される。
中間周波数帯域濾波器１１５は、変換された中間周波数信号を入力して復調に必要な成分のみを抽出し、抽出した中間周波数信号をＦＳＫ復調部１１６に入力する。ＦＳＫ復調部１１６では、中間周波数信号をベースバンド信号であるキーレス情報信号に復調するようにしている。なお、先行文献としては特許文献１、および特許文献２がある。
【特許文献１】特開平１１−３４８７３２号公報
【特許文献２】特開２００６−３３５９０公報
【発明の開示】
【発明が解決しようとする課題】
【０００６】
ところで、上記したようなキーレスエントリシステムは、車両用のキー側に設けられた送信機と、車両本体に設けられた受信機とでは周囲の温度環境が異なることが多い。
例えば、車両を屋外に駐車した場合、車両本体側に設けられる受信機の周囲温度は、ほぼ外気温に等しくなる。これに対して、キー側に設けられた送信機は、ユーザが持ち歩くためユーザの周囲温度とほぼ等しくなる。このため、車両の駐車環境とユーザが滞在する場所の環境が大きく異なる場合は、受信機の周囲温度と送信機の周囲温度が大きく異なる場合がある。このため、キーレスエントリシステムに使用される送受信システムでは、送信機側の温度と受信機側の温度が大きく異なる場合でも所定の性能が維持されるように、受信機の中間周波数帯域濾波器１１５の通過帯域を広帯域化するようにしていた。
しかしながら、受信機の中間周波数帯域濾波器１１５の通過帯域を広帯域とした場合は、受信機側でのＳ／Ｎが劣化して受信機の受信感度が低下し、送信可能距離が短くなるという問題点があった。
【０００７】
また、上記したような受信感度の低下を改善する手段として、特許文献１や特許文献２に示した手法が開示されている。特許文献１では、受信感度を改善するために中間周波数帯域濾波器を狭帯域とする一方、広帯域の帯域濾波器を有した受信レベルの検出回路を備え、その受信レベルが最大となるよう局部発振器の出力周波数を制御する。そして、得られる中間周波数信号の周波数が狭帯域な中間周波数帯域濾波器の中心周波数と一致するよう局部発振器の出力周波数を制御することにより受信感度を改善するようにしている。
また、特許文献２では、受信機側に自動周波数制御（ＡＦＣ）回路を設け、復調回路に設けた共振回路にＡＦＣ信号を印加し、ＡＦＣ信号に応じて共振回路の共振周波数を変化させてＦＳＫ信号に対して検波可能な中間周波数信号帯域幅を拡げた。そして、更に、局部発振器の出力周波数をＡＦＣ信号に応じて変化させたので、中間周波数変換部の信号帯域幅を変えずに、中間周波数変換部の信号受信感度を損なうことなく、受信可能な信号帯域幅をより拡大している。
【０００８】
しかしながら、特許文献１や特許文献２により開示されている受信機では、受信機の回路が複雑となり、受信性能の安定度の劣化やコストアップなどを招くという問題点があった。
本発明は、上述したような問題を解決するためになされたものであって、送信機と受信機の周囲環境が異なるような場合でも受信機の受信感度の向上を図ることができる送受信システム、送信機、及び受信機を提供することを目的とする。
【課題を解決するための手段】
【０００９】
上記目的を達成するために本発明の送受信システムは、周囲温度を検出して温度情報を出力する温度検出部と、所定操作が行われたときに温度検出部により検出した温度情報を含む所定情報を送出する情報送出部と、情報送出部から出力される所定情報を所定の変調方式で変調を施して送信する送信部と、を備える送信機と、局部発振器を備え、受信した受信信号を中間周波数信号に変換する中間周波数変換部と、中間周波数信号より復調に必要な成分を広帯域で抽出する広帯域濾波器と、広帯域濾波器を通過した中間周波数信号を復調する第１の復調部と、第１の復調部において復調した情報から温度情報を取得する温度情報取得部と、温度情報取得部において取得した温度情報に基づいて局部発振器の出力周波数の制御電圧を生成する周波数制御電圧生成部と、中間周波数信号より復調に必要な成分を広帯域濾波器より狭帯域な帯域で抽出する狭帯域濾波器と、狭帯域濾波器を通過した中間周波数信号を復調する第２の復調部と、を備える受信機と、を有する。
このような本発明の送受信システムによれば、送信機に周囲温度の検出機能を設け、受信機側に検出した温度情報を送信するようにした。一方、受信機においては、送信機からの温度情報に基づいて中間周波数変換部に備えた局部発振器の出力周波数を制御するようにし、送信機から送信される搬送周波数信号が変動しても受信機において中間周波数信号が所定の値を維持できるようにした。このようにすれば、中間周波数濾波器を狭帯域とすることができることから、受信機側でのＳ／Ｎが改善され、受信感度を向上させることができる。
【００１０】
また本発明の送受信システムは、受信機に周囲温度を検出して温度情報を出力する第２の温度検出部を備え、周波数制御電圧生成部は、送信機からの温度情報と第２の温度検出部で検出される温度情報とに基づいて局部発振器の出力周波数の制御電圧を生成するようにした。
このような本発明の送受信システムによれば、受信機においても周囲温度を検出するよう構成したので、中間周波数変換部に備えた局部発振器の出力周波数を制御する際に、送信機側より送信される温度情報と受信機側で検出した温度情報とを基により精度の高い周波数制御を行うことが可能となる。
【００１１】
また本発明の送受信システムは、送信機に、温度検出部により検出した温度情報に基づいて局部発振器の出力周波数の制御電圧情報を生成する周波数制御電圧信号生成部を備え、受信機は、送信機から送信されてくる周波数制御電圧情報に基づいて局部発振器の出力周波数を制御するようにした。
このような本発明の送受信システムによれば、送信機において、温度検出部により検出した温度情報を基に、受信機側に備えた局部発振器の出力周波数を最適な周波数とするために必要な周波数制御電圧値を決定し、その周波数制御電圧情報信号を受信機に送出した。従って、このような方式を採用することにより、受信機側において、受信した温度情報を基に局部発振器の出力周波数を最適にするための周波数制御電圧を決定する必要がなくなり、周波数制御電圧情報信号を受信後、直ちに局部発振器の出力周波数を所定値に設定することができる。
【００１２】
また本発明の送受信システムは、局部発振器を電圧制御圧電発振器により構成した。
このような本発明の送受信システムによれば、局部発振器の出力周波数を最適値に制御する際に、制御電圧を可変することで容易に周波数制御することができる。
【００１３】
また本発明の送信機は、周囲温度を検出して温度情報を出力する温度検出部と、所定操作が行われたときに温度検出部により検出した温度情報を含む所定の情報を送出する情報送出部と、情報送出部から出力される所定の情報を所定の変調方式で変調を施して送信する送信部と、を備えることを特徴としている。
このような本発明の送信機によれば、周囲温度の検出機能を設けたことで、送信機から情報を受信する受信機において送信側の周囲温度を把握することが可能になり、受信機において送信機の周囲温度に応じた制御が可能になる。
【００１４】
また本発明の受信機は、局部発振器を備え、受信した受信信号を中間周波数信号に変換する中間周波数変換部と、中間周波数信号より復調に必要な成分を広帯域で抽出する広帯域濾波器と、広帯域濾波器を通過した中間周波数信号を復調する第１の復調部と、第１の復調部において復調した情報から温度情報を取得する温度情報取得部と、温度情報取得部により取得した前記温度情報に基づいて局部発振器の出力周波数の制御電圧を生成する周波数制御電圧生成部と、中間周波数信号より復調に必要な成分を広帯域濾波器より狭帯域な帯域で抽出する狭帯域濾波器と、狭帯域濾波器を通過した中間周波数信号を復調する第２の復調部と、を備えるようにした。
このような本発明の受信機によれば、送信機から送信されてくる温度情報に基づいて、中間周波数変換部に備えた局部発振器の出力周波数を制御するようにした。そして、送信機から送信される搬送周波数信号が変動しても受信機において中間周波数信号が所定の値を維持できるようにした。これにより、中間周波数濾波器を狭帯域とすることができるので受信機側でのＳ／Ｎが改善され、受信感度を向上させることが可能となった。
【００１５】
また本発明のキーレスエントリシステムは、本発明の送受信システムを備えたことを特徴とする。
このような本発明のキーレスエントリシステムによれば、送信機と受信機との間の送信可能距離を長くすることができ、キーレスエントリシステムを使用する上で大きな効果を発揮する。
【発明を実施するための最良の形態】
【００１６】
以下、図示した実施形態に基づいて本発明を詳細に説明する。
本発明においては、送信機に温度センサを備えて送信機側の周囲温度情報を受信機に送信すると共に、受信機においては、受信した温度情報を基に中間周波数変換部に備えた局部発振器の出力周波数を可変することとした。そして、送信機より送信される搬送周波数信号が周囲温度条件の変化により変動しても、受信機において局部発振器の出力周波数を可変することにより中間周波数信号の周波数を所定値に維持するようにした。従って、中間周波数帯域濾波器を狭帯域としても確実に中間周波数信号が受信され、受信機における受信感度の向上を図ることができる。
【００１７】
以下、本実施形態として本発明の送受信システムを適用したキーレスエントリシステムについて説明する。キーレスエントリシステムは、車両用のキーに設けられた送信機と、車両本体に設けられた受信機とにより構成される。
図１は、第１の実施形態に係るキーレスエントリシステムの送信機の構成を示したブロック図である。
送信機１は、温度センサ２と、温度検出部３と、暗号化キーレス情報送出部４と、スイッチ５と、搬送周波数信号送信部６と、送信アンテナ７と、により構成される。
温度検出部３は、温度センサ２を用いて送信機１の周囲温度を検出する。暗号化キーレス情報送出部４は、温度検出部３が検出した温度情報とキーレス制御情報とを含む暗号化キーレス情報信号を生成して送出する。スイッチ５は、車両のドアーを施錠・開錠するためのスイッチである。搬送周波数信号送信部６は、ベースバンド信号である暗号化キーレス情報信号を入力し、例えば、ＦＳＫ変調された搬送周波数信号に変換する。送信アンテナ７は、搬送周波数信号を空中に放射する。
【００１８】
また、暗号化キーレス情報送出部４は、温度情報信号生成部８と、キーレス制御信号生成部９と、暗号化キーレス情報信号生成部１０と、により構成される。
温度情報信号生成部８は、温度検出部３が検出した温度情報を所定のデジタル化した２値信号に変換する。キーレス制御信号生成部９は、車両に固有に割り当てられたキーレス制御信号を生成する。暗号化キーレス情報信号生成部１０は、温度情報信号とキーレス制御信号とを入力し、暗号化された所定のフレーム構成からなる暗号化キーレス情報信号を生成する。
また、搬送周波数信号送信部６は、ＦＳＫ変調部１１と、送信増幅器１２と、により構成される。
ＦＳＫ変調部１１は、入力したベースバンド信号をＦＳＫ変調する。送信増幅器１２は、ＦＳＫ変調された暗号化キーレス情報信号を所定のレベルに調整して送信アンテナ７を介して空間に放出する。
【００１９】
次に、上記した第１の実施形態のキーレスエントリシステムの送信機の動作について説明する。
送信機１において、温度検出部３は、温度センサ２を用いて送信機１の周囲温度を検出し、温度情報を暗号化キーレス情報送出部４に入力する。暗号化キーレス情報信号送出部４においては、温度情報信号生成部８が、温度検出部３が検出した送信機１の周囲温度を示す温度情報を入力し、所定のビット数のデジタル信号に変換する。また、キーレス制御信号生成部９は、車両に割り当てられた固有のキーレス情報を含む所定のビット数のキーレス制御信号を生成する。そして、暗号化キーレス情報信号生成部１０は、入力した温度情報信号と、送信機１に固有に割り当てられたキーレス制御信号とを入力して所定のフレーム構成のキーレス情報信号を生成する。さらに、暗号化キーレス情報信号生成部１０は、前記キーレス情報信号を所定のアルゴリズムで暗号化し、「０」、「１」信号からなる２値情報の暗号化キーレス情報信号（ベースバンド信号）を生成して、スイッチ５が押下されると暗号化キーレス情報信号を搬送周波数信号送信部６に出力する。
【００２０】
搬送周波数信号送信部６は、ＦＳＫ変調部１１において、例えば、電圧制御圧電発振器などを用い、ベースバンド信号を制御電圧として入力し、ベースバンド信号の「１」、「０」信号に対応した制御電圧により、電圧制御圧電発振器の出力周波数を中心周波数±Δｆに変移したＦＳＫ変調信号を生成する。この場合、ＦＳＫ変調された変移周波数信号が搬送周波数信号となる。送信増幅器１２は、ＦＳＫ変調部１１が出力する搬送周波数信号のレベル調整機能を備えており、所定のレベルに調整した後、送信アンテナ７を所定のインピーダンスで終端する。
【００２１】
次に、所定のフレーム構成の暗号化キーレス情報信号について説明する。
図２は、暗号化キーレス情報信号のフレーム構成例を示した図である。
図２に示す暗号化キーレス情報信号は、フレームの先頭に温度情報を含む温度情報信号のビット列を配置し、次に所定時間の信号の送出停止時間を設け、その後、キーレス制御信号を含むビット列を配置している。前記信号の送出停止時間は、受信機側において暗号化された温度情報信号を解読し、局部発振器の発振周波数を可変するまでに必要な時間である。なお、暗号化キーレス情報信号は、受信機において、確実に暗号化されたキーレス情報を解読できるよう複数回、繰り返し送出することが好ましい。
【００２２】
次に、本実施形態に係るキーレスエントリシステムの受信機について説明する。
図３は、第１の実施形態に係るキーレスエントリシステムの受信機の構成を示したブロック図である。
受信機１３は、受信アンテナ１４と、中間周波数変換部１５と、広帯域濾波器１６と、第１のＦＳＫ復調部１７と、暗号化温度情報解読部（温度情報取得部）１８と、周波数制御電圧生成部１９と、狭帯域濾波器２０と、第２のＦＳＫ復調部２１と、暗号化キーレス制御情報解読部２２と、制御信号送出部２３と、により構成される。なお、図３の点線で囲った部分が搬送周波数信号受信部２４を構成している。
受信アンテナ１４は、空間に放射された搬送周波数信号を受信する。中間周波数変換部１５は受信した搬送周波数信号を中間周波数信号に変換する。広帯域濾波器１６は、中間周波数変換部１５により変換された中間周波数信号より復調に必要な成分を抽出する。
【００２３】
第１のＦＳＫ復調部１７は、広帯域濾波器１６より入力される中間周波数信号をＦＳＫ復調してベースバンド信号として出力する。暗号化温度情報解読部１８は、暗号化されたベースバンド信号を解読して温度情報を取得する。
周波数制御電圧生成部１９は、暗号化温度情報解読部１８により得られた温度情報を基に、中間周波数変換部に備えた局部発振器の出力周波数を可変する制御電圧を生成する。
狭帯域濾器２０は、前記広帯域濾波器１６より狭帯域とし、ＦＳＫ復調する際のＳ／Ｎを向上させるものである。第２のＦＳＫ復調部２１は、狭帯域濾器２０より入力される中間周波数信号をＦＳＫ復調してベースバンド信号として出力する。
暗号化キーレス制御情報解読部２２は、暗号化されたベースバンド信号を解読してキーレス制御情報を取得する。
制御信号送出部２３は、解読したキーレス制御情報と予め定められた車両に固有なキーレス制御情報とを照合して、一致した際はドアーの施錠・開錠を行う制御信号を送出する。
【００２４】
また、中間周波数変換部１５は、受信帯域濾波器２５と、受信増幅器２６と、局部発振器２７と、ミキサー２８と、により構成される。
受信帯域濾波器２５は、受信した搬送周波数信号より雑音などの不要成分を除去する。受信増幅器２６は、受信した搬送周波数信号を所定のレベルに増幅する。
局部発振器は、受信した搬送周波数信号を中間周波数信号に変換するための周波数信号を出力するとともに、前記周波数制御電圧生成部１９が出力する制御電圧により発振周波数を可変することが可能である。ミキサー２８は、受信した搬送周波数信号と局部発振器２７が出力する周波数信号とをミキシングする。
【００２５】
次に、上記した第１の実施形態のキーレスエントリシステムの受信機の動作について説明する。
受信機１３において、受信アンテナ１４により受信した搬送周波数信号は、中間周波数変換部１５に入力される。中間周波数変換部１５は、受信アンテナ１４を介してＦＳＫ変調信号からなる搬送周波数信号を受信して受信帯域濾波器２５に入力し、不要な雑音成分を除去する。次に、搬送周波数信号は、受信増幅器２６に入力されて、所望のレベルに増幅される。増幅された搬送周波数信号は、局部発振器２７が出力する周波数信号とミキサー２８においてミキシングされ、中間周波数信号に変換される。搬送周波数信号は、例えば、３１２〜３１５ＭＨｚであり、ＦＳＫ変調に必要な帯域は、１０〜１００ｋＨｚ程度とされる。また、中間周波数信号は、一般的に４５５ｋＨｚが使用されるので、搬送周波数信号と局部発振器が出力する周波数信号とをミキシングした際に、受信したＦＳＫ変調波の中心周波数が４５５ｋＨｚとなるように局部発振器２７の出力周波数が決定される。
また、局部発振器２７は、例えば、電圧制御圧電発振器などにより構成されており、後述する周波数制御電圧生成部１９が出力する制御電圧により周波数制御され、送信機より受信した送信機側の周囲温度情報に基づいて最適な周波数信号が出力される。
【００２６】
次に、中間周波数信号に変換された暗号化キーレス情報信号は、広帯域濾波器１６により必要な成分のみが抽出された後、第１のＦＳＫ復調部１７において復調されてベースバンド信号である暗号化キーレス情報信号となる。
暗号化温度情報解読部１８においては、暗号化されたキーレス情報信号を解読し、所定のフレーム構造のキーレス情報信号に含まれている温度情報を取得し、周波数制御電圧生成部１９に入力する。
次に、周波数制御電圧生成部１９においては、入力された送信機の周囲温度を示す温度情報を基に送信機が出力する搬送周波数信号の周波数ズレを推定し、そのズレに対応して前記局部発振器２７の発振周波数を可変するための制御電圧を生成する。受信する搬送周波数信号が周波数変動すると、それに伴って中間周波数信号の周波数が４５５ｋＨｚから変動する。後述の中間周波数信号を受信する狭帯域濾波器２０は、中心周波数が４５５ｋＨｚの狭帯域な濾波器であり、中間周波数信号の周波数が変動すると狭帯域濾波器２０により復調に必要な周波数成分が十分得られなくなり、ＦＳＫ復調時においてエラーが発生するおそれがある。そこで、送信機が出力する搬送周波数信号が変動しても、中間周波数信号が常に４５５ｋＨｚを維持できるよう局部発振器２７の発振周波数を可変する。
【００２７】
次に、中間周波数信号の周波数補正の方法についてさらに詳しく説明する。
図４（ａ）は、送信機が出力する搬送周波数信号の温度特性例と、図４（ｂ）は受信した温度情報に対する局部発振器の出力周波数特性例をそれぞれ示す図である。中間周波数信号である４５５ｋＨｚ信号は、ミキサー部２８において、受信した搬送周波数信号Ｆｃと局部発振器２７が出力する周波数信号Ｆｉｆとをミキシングすることにより、Ｆｃ−Ｆｉｆ＝４５５ｋＨｚとして生成される。そこで、送信機側において、図４（ａ）に示す如く搬送周波数信号が、基準温度２０℃の時の周波数ＦｃＨｚに対して、−２０℃の場合（Ｆｃ−Δｆ１）Ｈｚ変動し、＋６０℃の場合（Ｆｃ＋Δｆ２）Ｈｚ変動するものと仮定する。この時、受信機側において、受信した搬送周波数信号をミキシングして中間周波数信号の周波数が４５５ｋＨｚとなるように維持するためには、図４（ｂ）に示す如く局部発振器２７が出力する周波数信号の周波数を、受信した温度情報が基準温度２０℃である時にＦｉｆＨｚであるとすると、温度情報が−２０℃であれば（Ｆｉｆ−Δｆ１）Ｈｚを、温度情報が６０℃であれば（Ｆｉｆ＋Δｆ２）Ｈｚを出力するように制御すればよい。そこで、周波数制御電圧生成部１９は、電圧制御圧電発振器などにより構成される局部発振器２７へ入力する制御電圧を、受信した各温度情報に対応して電圧制御圧電発振器の出力周波数が前述した周波数となるような値とする。なお、上述した説明では、温度情報が−２０℃と６０℃の場合について説明したが、送信機から受信機へ送信する温度情報の項目は、例えば、−２０℃から１０℃ステップで６０℃まで９項目とするなど、キーレスエントリシステムに必要とされる性能とコストを勘案して適宜設定すればよい。
上述したように、周波数制御電圧生成部１９は、電圧制御圧電発振器などにより構成される局部発振器２７に、取得した温度情報を基に最適な制御電圧を入力し、中間周波数信号を４５５ｋＨｚに維持するよう動作する。
【００２８】
次に、狭帯域濾波器２０は、中間周波数変換部１５が出力する中間周波数信号から復調に必要な成分のみを抽出して第２のＦＳＫ復調部２１に入力する。第２のＦＳＫ復調部２１は、入力された中間周波数信号をＦＳＫ復調して暗号化キーレス情報からなるベースバンド信号に変換し、ベースバンド信号を暗号化キーレス制御情報解読部２２に入力する。暗号化キーレス制御情報解読部２２は、暗号化されたキーレス情報信号を解読し、所定のフレーム構造のキーレス情報信号に含まれているキーレス制御情報を取得し、制御信号送出部２３に入力する。そこで、制御信号送出部２３は、取得したキーレス制御情報を車両に固有に割り当てられたキーレス情報と照合し、一致する場合は、車両のドアーの施錠、或いは開錠を行う制御信号を出力する。
【００２９】
以上説明したように、第１の実施形態のキーレスエントリシステムにおいては、送信機１より受信機１３へ周囲温度情報を送信し、受信機１３においては、送信された温度情報に基づいて、局部発振器の発振周波数を制御することにより中間周波数信号が常に４５５ｋＨｚを維持するようにした。従って、キーレス制御情報を受信する帯域濾波器を狭帯域とすることができ、受信側でのＳ／Ｎを向上させることができる。また、温度情報を取得するためのＦＳＫ復調の際は、中間周波数信号を受信する帯域濾波器として、従来方式と同様な比較的広帯域な帯域濾波器を使用し、受信する搬送周波数が変動しても確実にＦＳＫ変調信号を受信できるようにした。この場合、中間周波数信号を受信する帯域濾波器が広帯域となることから受信側でのＳ／Ｎや熱雑音電力が多少劣化するが、温度情報の情報量は少ないため、温度データを簡易化して雑音に強い符号化方式とすることで、確実に温度情報を取得することが可能である。
【００３０】
次に、本発明に係るキーレスエントリシステムの第１の実施形態の変形例について説明する。本変形例は、送信機から送られてくる温度情報に加え、受信機においても周囲温度情報を検出するよう構成した。そして、送信機側と受信機側のそれぞれの温度情報を基に、局部発振器の周波数制御を行うことにより、より高い精度で中間周波数信号を４５５ｋＨｚに維持にするよう動作させたものである。
図５は、第１の実施形態に係るキーレスエントリシステムの変形例の構成を示す図である。図５は受信機の構成を示し、変形させた構成要素の説明に必要な部分を記載している。また、記載していない他の構成要素は、図３に示したキーレスエントリシステムの受信機と同一である。
この図５に示す受信機２９において、温度センサ３０と温度検出部３１とにより受信機２９の周囲温度を検出し、周波数制御電圧生成部３２に入力する。周波数制御電圧生成部３２は、暗号化温度情報解読部１８より取得した送信機の温度情報と、温度検出部３１より取得した受信機２９の温度情報とを基に、局部発振器２７の発振周波数を制御し、受信した搬送周波数信号と局部発振器２７が出力する周波数信号をミキシングした際に、中間周波数信号の周波数を４５５ｋＨｚに精度よく維持させる。そのために、周波数制御信号生成部３２は、二つの温度情報に基づいて、局部発振器２７に最適な制御電圧を入力する。従って、局部発振器２７の周波数制御を行う際に、より精度の高い周波数制御が可能となり、受信感度の向上が図られる。
【００３１】
次に、本発明の第２の実施形態について説明する。
前述した第１の実施形態においては、送信機から受信機へ、送信機の周囲温度情報を送出していたが、第２の実施形態においては、送信機から受信機へ対して、受信機側に備えた局部発振器の出力周波数を制御する周波数制御電圧情報を送出することとした。送信機は、温度検出部により検出した温度情報を基に、受信機側に備えた局部発振器の出力周波数を最適な周波数とするために必要な周波数制御電圧値を決定し、その周波数制御電圧情報を受信機に送出する。従って、このような方式を採用することにより、受信機側において、受信した温度情報を基に局部発振器の出力周波数を最適にするための周波数制御電圧を選択する必要がなくなり、前記周波数制御電圧情報信号を受信後、直ちに局部発振器の出力周波数を所定値に設定することができる。従って、前述した暗号化キーレス信号のフレーム構成の信号の送出停止時間が不要となる。
【００３２】
図６は、本発明に係るキーレスエントリシステムの第２の実施形態を示す構成図である。図６は、第２の実施形態の特徴の説明に必要な部分を記載しており、記載していない他の構成要素は、図１、および図３に示したキーレスエントリシステムの構成要素と同一である。送信機３３において、暗号化キーレス情報送出部３４は、周波数制御電圧信号生成部３５と、キーレス制御信号生成部９と、暗号化キーレス情報信号生成部３６と、スイッチ５と、により構成される。
このように構成される暗号化キーレス情報送出部３４では、周波数制御電圧信号生成部３５において、温度検出部３が検出した送信機の周囲温度を示す温度情報を入力し、その温度情報の数値により、受信機に備えた局部発振器の出力周波数を所定値に設定するための周波数制御電圧信号を生成する。周波数制御電圧信号は、所定のビット数のデジタル信号からなる信号である。
また、キーレス制御信号生成部９は、車両に割り当てられた固有のキーレス情報を含む所定のビット数のキーレス制御信号を生成する。そして、暗号化キーレス情報信号生成部３６は、前記周波数制御電圧信号と、前記キーレス制御信号とを入力して所定のフレーム構成のキーレス情報信号を生成する。さらに、暗号化キーレス情報信号生成部３６は、キーレス情報信号を所定のアルゴリズムで暗号化して「０」、「１」信号からなる２値情報のベースバンド信号として、スイッチ５が押下されると暗号化キーレス情報信号を搬送周波数信号送信部６に出力する。
【００３３】
次に、受信機３７において、暗号化周波数制御電圧情報解読部３８は、第１のＦＳＫ復調部１７が復調したベースバンド信号からなる暗号化キーレス情報信号を入力する。そして、入力した暗号化キーレス情報信号を解読して前記周波数制御電圧を取得し、取得した周波数制御電圧を局部発振器２７に入力する。従って、局部発振器２７は、出力周波数が制御され、送信機３３の周囲温度に対応した周波数信号を出力することから、前述したように中間周波数信号を４５５ｋＨｚに維持するよう動作する。
以上、キーレスエントリシステムの説明において、暗号化キーレス情報信号を変調する手段としてはＦＳＫ変調方式を例に挙げて説明したが、これはあくまでも一例であり、ＡＳＫ（振幅変移）変調方式を用いてもよい。
また本実施形態では、本発明の送受信システムをキーレスエントリシステムに適用した場合を例に挙げて説明したが、これはあくまでも一例であり、例えば、ＲＦ  ＩＤシステムなど各種送受信システムにも適用可能であることは言うまでもない。
【図面の簡単な説明】
【００３４】
【図１】第１の実施形態に係るキーレスエントリシステムの送信機の構成を示したブロック図である。
【図２】暗号化キーレス情報信号のフレーム構成例を示した図である。
【図３】第１の実施形態に係るキーレスエントリシステムの受信機の構成を示したブロック図である。
【図４】（ａ）は送信機が出力する搬送周波数信号の温度特性例を示す図、（ｂ）は受信した温度情報に対する局部発振器の出力周波数特性例を示す図である。
【図５】第１の実施形態に係るキーレスエントリシステムの変形例の構成を示す図である。
【図６】本発明に係るキーレスエントリシステムの第２の実施形態を示す構成図である。
【図７】従来のキーレスエントリシステムの構成例を示した図である。
【図８】従来の受信機に備えた搬送周波数受信部の構成を示したブロック図である。
【符号の説明】
【００３５】
１、３３…送信機、２、３０…温度センサ、３、３１…温度検出部、４、３４…暗号化キーレス情報送出部、５…スイッチ、６…搬送周波数信号送信部、７…送信アンテナ、８…温度情報信号生成部、９…キーレス制御信号生成部、１０、３６…暗号化キーレス情報信号生成部、１１…ＦＳＫ変調部、１２…送信増幅器、１３、２９、３７…受信機、１４…受信アンテナ、１５…中間周波数変換部、１６…広帯域濾波器、１７…第１のＦＳＫ復調部、１８…暗号化温度情報解読部、１９、３２…周波数制御電圧生成部、２０…狭帯域濾波器、２１…第２のＦＳＫ復調部、２２…暗号化キーレス制御情報解読部、２３…制御信号送出部、２４…搬送周波数信号受信部、２５…受信帯域濾波器、２６…受信増幅器、２７…局部発振器、２８…ミキサー、３５…周波数制御電圧信号生成部、３８…暗号化周波数制御電圧情報解読部
【図１】
2008227789.tif 000003
【図２】
2008227789.tif 000004
【図３】
2008227789.tif 000005
【図４】
2008227789.tif 000006
【図５】
2008227789.tif 000007
【図６】
2008227789.tif 000008
【図７】
2008227789.tif 000009
【図８】
2008227789.tif 000010